(57)【特許請求の範囲】
【請求項１】
放電電極と、前記放電電極に水分を供給する水供給手段とを備え、前記放電電極に高電圧を印加して前記放電電極に保持される水分を霧化させることでイオンミストを外方へ噴出する静電霧化装置をモータのカバーに具備し、
前記水供給手段は吸熱体を具備し、当該吸熱体は前記放電電極を冷却することで空気中の水分を放電電極に結露または氷結させて水分を供給する吸熱部を有し、
前記モータのカバー背面には通気孔が設けられ、その通気孔は、前記静電霧化装置におけるイオンミストの噴出口に連通する第１の空気流路と、前記吸熱体の放熱部を経由する第２の空気流路とに分岐していることを特徴とする扇風機。
【請求項２】
前記静電霧化装置を、モータのカバー上面に配置し、かつ前記イオンミストの噴出方向を、鉛直上方または前記鉛直上方より羽根方向に傾けて配置することを特徴とする請求項１記載の扇風機。
【請求項３】
羽根をカバーするカバーの内、背面のカバーを前記イオンミストと同極性に帯電させる帯電手段をさらに具備することを特徴とする請求項１または２記載の扇風機。
【請求項４】
前記静電霧化装置は、モータのオンオフに連動して動作することを特徴とする請求項１〜３のいずれか１項に記載の扇風機。
【発明の詳細な説明】
【技術分野】
【０００１】
本発明は、扇風機に関する。
【背景技術】
【０００２】
前記扇風機は、完成された商品で、古くから涼を得るための手段として用いられている。しかしながら、近年では、室内空気を撹拌し、冷暖房の効率をアップする等にも用いられ、根強い人気がある。
【０００３】
一方、これも古くからの技術で、負イオンを生成する負イオン発生装置がある。前記負イオンを拡散することで、人体に有益で、かつ消臭や除菌等に用いられている。
【０００４】
そこで、これら２つの技術を合わせた従来技術が、特許文献１で示されている。その特許文献１には、前記負イオン発生装置を添装してなる送風機器について開示されている。
【特許文献１】特開平９−２４５９３５号公報
【発明の開示】
【発明が解決しようとする課題】
【０００５】
上述の従来技術は、扇風機の風に乗じてマイナスイオンを遠くまで飛ばせるようにした点で優れている。しかしながら、単純な負イオンは、寿命が短く、何かに衝突（吸着する）すると、直ちに正イオンと結合して消滅してしまうという問題がある。たとえば、前記寿命は、１分程度である。
【０００６】
本発明の目的は、寿命の長いイオンを扇風機の風に乗じて空気中に拡散できることができる扇風機を提供することである。
【課題を解決するための手段】
【０００７】
本発明の扇風機は、放電電極と、前記放電電極に水分を供給する水供給手段とを備え、前記放電電極に高電圧を印加して前記放電電極に保持される水分を霧化させることでイオンミストを外方へ噴出する静電霧化装置をモータのカバーに具備し、前記水供給手段は吸熱体を具備し、当該吸熱体は前記放電電極を冷却することで空気中の水分を放電電極に結露または氷結させて水分を供給する吸熱部を有し、前記モータのカバー背面には通気孔が設けられ、その通気孔は、前記静電霧化装置におけるイオンミストの噴出口に連通する第１の空気流路と、前記吸熱体の放熱部を経由する第２の空気流路とに分岐していることを特徴とする。
【０００８】
上記の構成によれば、人体に有益で、かつ消臭や除菌等に効果があるイオンが水に包まれることで、寿命の長いイオンミストとして空中に放出することができる。また、水に包まれている分重いイオンミストを、扇風機によって広範囲に拡散することができる。
【０００９】
また、前記水供給手段は吸熱体を具備し、当該吸熱体は前記放電電極を冷却することで空気中の水分を放電電極に結露または氷結させて水分を供給する吸熱部を有するので、水補給が不要となってユーザに手間をかけさせず、利便性を向上することができる。
【００１０】
さらにまた、前記モータのカバー背面に通気孔が設けられ、その通気孔は、前記噴出口に連通する第１の空気流路と、前記吸熱体の放熱部を経由する第２の空気流路とに分岐しているので、扇風機の風の流れを適切に利用し、吸熱体の放熱部の冷却を行うことで、冷却効率が向上し、別途送風ファンを設ける必要がない。
【００１１】
また、本発明の扇風機は、前記静電霧化装置を、モータのカバー上面に配置し、かつ前記イオンミストの噴出方向を、鉛直上方または前記鉛直上方より羽根方向に傾けて配置することを特徴とする。
【００１２】
上記の構成によれば、静電霧化装置の噴出口を風上に配置するとともに、首振りなどに対してもイオンミストの射出方向は常に扇風機の風の向う方向であり、生成されたイオンミストを効果的に拡散することができる。また、発生したイオンミストが直接羽根に当って消滅することを防止し、さらに効率良く空中にイオンミストを拡散させることができる。さらにまた、該静電霧化装置を前面カバーに取付けた場合、収納や掃除の際に、前記５〜６ｋＶにもなる該静電霧化装置への高圧配線の引回しが剥き出しになる可能性があるのに対して、そのような問題が生じることもない。
【００１３】
さらにまた、本発明の扇風機は、羽根をカバーするカバーの内、背面のカバーを前記イオンミストと同極性に帯電させる帯電手段をさらに具備することを特徴とする。
【００１４】
上記の構成によれば、発生したイオンミストが羽根に向うことを防止し、さらに効率良く空中にイオンミストを拡散させることができる。
【００１５】
さらにまた、本発明の扇風機では、前記静電霧化装置は、モータのオンオフに連動して動作することを特徴とする。
【００１６】
上記の構成によれば、確実に動作を開始および停止させることができ、動作スイッチの入れ忘れや切り忘れの可能性を無くすことができる。
【発明の効果】
【００１７】
本発明の扇風機は、以上のように、放電電極と、前記放電電極に水分を供給する水供給手段とを備え、前記放電電極に高電圧を印加することで前記放電電極に保持される水分を霧化させてイオンミストを発生させる静電霧化装置を具備する。
【００１８】
それゆえ、人体に有益で、かつ消臭や除菌等に効果があるイオンが水に包まれることで、寿命の長いイオンミストとして空中に放出することができ、また水に包まれている分重いイオンミストを、扇風機によって広範囲に拡散することができる。
【００１９】
また、前記水供給手段を、吸熱体を具備し、前記放電電極を冷却することで空気中の水分を該放電電極に結露または氷結させて水分を供給する構成とするので、水補給が不要となってユーザに手間をかけさせず、利便性を向上することができる。
【００２０】
さらにまた、前記モータのカバー背面に通気孔を設け、その通気孔を、前記噴出口に連通する第１の空気流路と、前記吸熱体の放熱部を経由する第２の空気流路とに分岐させるので、扇風機の風の流れを適切に利用し、吸熱体の放熱部の冷却を行うことで、冷却効率が向上し、別途送風ファンを設ける必要がない。
【００２１】
また、本発明の扇風機は、以上のように、前記静電霧化装置を、モータのカバー上面に配置し、かつイオンミストの噴出方向を、鉛直上方または前記鉛直上方より羽根方向に傾けて配置する。
【００２２】
それゆえ、首振りなどに対してもイオンミストの射出方向は常に扇風機の風の向う方向であり、生成されたイオンミストを効果的に拡散することができる。また、発生したイオンミストが直接羽根に当って消滅することを防止し、さらに効率良く空中にイオンミストを拡散させることができる。さらにまた、該静電霧化装置を前面カバーに取付けた場合、収納や掃除の際に、前記５〜６ｋＶにもなる該静電霧化装置への高圧配線の引回しが剥き出しになる可能性があるのに対して、そのような問題が生じることもない。
【００２３】
さらにまた、本発明の扇風機は、以上のように、羽根をカバーするカバーの内、背面のカバーを前記イオンミストと同極性に帯電させる帯電手段をさらに具備する。
【００２４】
それゆえ、発生したイオンミストが羽根に向うことを防止し、さらに効率良く空中にイオンミストを拡散させることができる。
【００２５】
さらにまた、本発明の扇風機は、以上のように、前記静電霧化装置を、モータのオンオフに連動させる。
【００２６】
それゆえ、確実に動作を開始および停止させることができ、動作スイッチの入れ忘れや切り忘れの可能性を無くすことができる。
【発明を実施するための最良の形態】
【００２７】
［実施の形態１］
図１は、本発明の実施の第１の形態に係る扇風機１の構造を示す側面図である。この扇風機１において、送風のための構成は通常の扇風機と同様である。すなわち、基台２から伸縮自在の支柱３が立設され、その支柱３の上端に、左右の軸４回りに前後傾斜（仰角調整）可能で、水平面内で角変位（首振り）可能にモータユニット５が設けられ、そのモータユニット５に羽根６および前後のカバー７，８が取付けられて成る。前記羽根６および前後のカバー７，８の組立ては、先ず後カバー８が、その中央に形成された開口部分にモータ５ａの軸５ｂが挿通されて、モータカバー５ｃの前面に取付けられ、その後、前記軸５ｂに羽根６がスクリューキャップ９によって取付けられ、最後に前カバー７が後カバー８と図示しないフックなどで締結されることで行われる。分解時はこの逆である。そして、前記基台２に設けられた操作部１０の操作に応答して、駆動制御回路１１が、前記モータ５ａの回転を制御するとともに、その動力を使用した首振り機構の制御などを行う。
【００２８】
上述のように構成される扇風機１において、注目すべきは、本実施の形態では、前記モータカバー５ｃに、放電電極２１およびその対向電極２２と、前記放電電極２１に水分を供給する水供給手段である貯水タンク２３および吸水管２４とを備え、前記放電電極２１と対向電極２２との間に高電圧を印加することで前記放電電極２１に保持される水分を霧化させる静電霧化装置２５を具備することである。前記給水管２４は、毛細管現象を利用して、貯水タンク２３の水を放電電極２１に供給する。前記貯水タンク２３は、着脱式とされることで、利便性が向上する。
【００２９】
このように構成することで、人体に有益で、かつ消臭や除菌等に効果があるイオンが水に包まれ、吸着しても直ぐには正イオンと結合せず、たとえば１０分程度と寿命の長いナノサイズのイオンミストとして空中に放出することができ、また水に包まれている分重いイオンミストを、扇風機１の風で広範囲に拡散することができ、効果的である。
【００３０】
また、本実施の形態の扇風機１では、前記静電霧化装置２５における前記イオンミストの噴出口２２ａを、モータカバー５ｃの上面に配置し、かつイオンミストの噴出方向を、鉛直上方または前記鉛直上方より羽根方向に傾けて（図１では羽根方向に傾けて）配置している。このように静電霧化装置２５の噴出口２２ａを風上に配置するとともに、首振りなどに対してもイオンミストの射出方向は常に扇風機１の風の向う方向とすることで、生成されたイオンミストを効果的に拡散することができる。また、発生したイオンミストが直接羽根６に当って消滅することを防止し、さらに効率良く空中にイオンミストを拡散させることができる。さらにまた、該静電霧化装置２５を前カバー７に取付けた場合、収納や掃除の際に、５〜６ｋＶにもなる該静電霧化装置２５への高圧配線２６の引回しが剥き出しになる可能性があるのに対して、そのような問題が生じることもない。なお、静電霧化装置２４の傾斜角は、たとえば初速で１ｍ／ｓｅｃ程度のイオンミストの速度に、羽根６に吸い込まれる空気の流速などに応じて定められればよく、前記流速に応じて可変に制御されてもよい。
【００３１】
ここで、前記特許文献１の従来技術では、前記負イオン発生装置は、モータのカバーの上部に、正面を向いて備え付けられており、上述のようにせっかく発生した負イオンは羽根に衝突し、極めて短時間で消滅してしまう。
【００３２】
また、特開２００２−３０３２９６号公報には、羽根カバーの前部にイオン化電極を設けた構造が開示されている。しかしながら、この構成では、イオンの羽根への衝突は回避できるが、カバーが大きくなり、かつ前述のように高電圧をカバー前面に供給することになり、前記５〜６ｋＶにもなる高圧配線の引回しの関係で、安全性にも問題がある。
【００３３】
さらにまた、特開２００３−２７２７９９や特許第３７５９５８６では、イオン発生部が扇風機の支持体、あるいはスタンドベースに備え付けられているが、いずれも拡散効果は小さく、また首振りを行うと、前述のように充分な拡散効果が期待できないという問題がある。
【００３４】
さらにまた、本実施の形態の扇風機１では、前記静電霧化装置２５の放電電極２１および対向電極２２には、前記高圧配線２６を介して、駆動制御回路２７からの高電圧が与えられる。この駆動制御回路２７は、制御回路に、高圧発生回路および帯電手段である低圧発生回路を備えて成る。そして、高電圧は前記放電電極２１および対向電極２２に与えられ、低電圧は、低圧配線２８を介して前記後カバー８に与えられる。これによって、前記後カバー８は、イオンミストと同極性に帯電している。したがって、発生したイオンミストが羽根６に向うことを防止し、さらに効率良く空中にイオンミストを拡散させることができる。
【００３５】
さらにまた、本実施の形態の扇風機１では、前記駆動制御回路１０と駆動制御回路２７とは信号線２９で接続されており、駆動制御回路２７は駆動制御回路１０に連動して、前記静電霧化装置２５を、モータ５ａのオンオフに連動して動作させる。したがって、確実に動作を開始および停止させることができ、動作スイッチの入れ忘れや切り忘れの可能性を無くすことができる。
【００３６】
［実施の形態２］
図２は、本発明の実施の第２の形態に係る扇風機１’の構造を示す側面図である。この扇風機１’において、前述の扇風機１に類似し、対応する部分には同一の参照符号を付して示し、その説明を省略する。注目すべきは、この扇風機１’では、静電霧化装置２５’における水供給手段が、吸熱体であるペルチェユニット３１を具備し、前記放電電極２１を冷却することで空気中の水分を該放電電極２１に結露または氷結させて水分を供給することである。
【００３７】
図３は、前記静電霧化装置２５’の拡大断面図である。この静電霧化装置２５’は、大略的に、針状の前記放電電極２１と、支持枠２０によってその前方側に所定の間隔を隔てて対向配置されるリング状の前記対向電極２２と、前記放電電極２１を冷却する前記ペルチェユニット３１とを備えて構成される。前記駆動制御回路２７の高圧発生回路で作成されたマイナスの高電圧は、該高電圧を調整するための図示しない抵抗から前記放電電極２１に与えられる。
【００３８】
前記放電電極２１は、前述のようにペルチェユニット３１によって冷却されることでその外周面に空気中の水分が結露または氷結し、その水分に電極２１，２２間で高電圧放電を行うことで、水の補給なしで、ナノサイズのマイナスイオンミストを生成可能となっている。なお、氷結によって得られた水分も、ペルチェユニット３１の冷却をオフ、あるいはペルチェユニット３１への通電の極性を反転させ、逆に放電電極２１を加熱することによって溶解し、前記放電電極２１と対向電極２２との間の電界によって、先端凸部２１ａ側に引き寄せられて来る。このように構成される静電霧化装置２５’は、前記モータユニット５の内部フレーム５ｄ上に搭載された後、その前方に、前記イオンミストを通過させつつ、高電圧が印加されている該静電霧化装置２５’の前記噴出口２２ａからの異物の侵入を阻止するための図示しない多孔板が配置され、それらが前記モータカバー５ｃで覆われる。
【００３９】
前記ペルチェユニット３１は、熱伝導性の高いアルミナや窒化アルミニウムなどから成る絶縁板の一表面に回路を形成して成る一対のペルチェ回路板３１ａ，３１ｂを、互いの回路が向き合うように対向させ、それらのペルチェ回路板３１ａ，３１ｂ間に、たとえばＢｉＴｅ系の熱電素子３１ｃを多数挟持させるとともに、隣接する熱電素子３１ｃ同士を両側の回路で電気的に接続させて成り、図示しないリード線から通電を行うことで、一方のペルチェ回路板（本実施の形態では、３１ａ）側から他方のペルチェ回路板（３１ｂ）側に向けて熱が移動するように構成されている。そして、前記ペルチェ回路板３１ａの熱電素子３１ｃとは反対側の面に、アルミナや窒化アルミニウム等から成る高熱伝導性および高耐電性の絶縁板３１ｄが貼り合せられ、吸熱部となる該絶縁板３１ｄの略中央部に前記放電電極２１が立設される。また、前記ペルチェ回路板３１ｂの熱電素子３１ｃとは反対側の面には、放熱部であり、アルミナや窒化アルミニウム等から成る高熱伝導性および高耐電性の放熱フィン３１ｅが貼り合せられる。
【００４０】
このように構成することで、水補給が不要となってユーザに手間をかけさせず、利便性を向上することができる。
【００４１】
また注目すべきは、前記モータカバー５ｃの背面には通気孔５ｅが設けられ、その通気孔５ｅが、前記イオンミストの噴出促進のための第１の空気流路５ｆと、前記放熱フィン３１ｅを冷却するための第２の空気流路５ｇとに分岐していることである。通気孔５ｅには、ファン３２が設けられる。このように構成することで、放熱フィン３１ｅを冷却した後の熱気が放電電極２１側に流れ込み、前記結露または氷結、すなわち水分供給の効率が低下することを防止することができる。
【００４２】
［実施の形態３］
図４は、本発明の実施の第３の形態に係る扇風機１''の構造を示す側面図である。この扇風機１''は、前述の扇風機１’に類似し、対応する部分には同一の参照符号を付して示し、その説明を省略する。注目すべきは、この扇風機１''では、モータ５ａ’の軸５ｂ’が該モータ５ａ’の前後に突出しており、背後側でファン３３を回転させることである。そのファン３３の回転によって得られた空気の流れで該モータ５ａ’の冷却が行われるとともに、前記第２の空気流路５ｇによる放熱フィン３１ｅの冷却および前記第１の空気流路５ｆによるイオンミストの噴出促進が行われる。
【００４３】
このように構成することで、扇風機１''の風の流れを適切に利用し、放熱フィン３１ｅの冷却を行うことで、冷却効率が向上し、別途送風ファンを設ける必要がない。なお、前記通気孔５ｅに設けられるファン３２を、モータ５ａ’の前記軸５ｂ’の回転力をギアなどで伝達して回転させるようにしてもよい。 
【図面の簡単な説明】
【００４４】
【図１】本発明の実施の第１の形態に係る扇風機の構造を示す側面図である。
【図２】本発明の実施の第２の形態に係る扇風機の構造を示す側面図である。
【図３】図２で示す扇風機に用いられる静電霧化装置の拡大断面図である。
【図４】本発明の実施の第３の形態に係る扇風機の構造を示す側面図である。
【符号の説明】
【００４５】
１，１’，１''    扇風機
２    基台
３    支柱
５    モータユニット
５ａ，５ａ’    モータ
５ｃ    モータカバー
５ｅ    通気孔
５ｇ，５ｈ    空気流路
６    羽根
７    前カバー
８    後カバー
１０    操作部
１１，２７    駆動制御回路
２１    放電電極
２２    対向電極
２２ａ  噴出口
２３    貯水タンク
２４    吸水管
２５，２５’    静電霧化装置
２６    高圧配線
２８    低圧配線
３１    ペルチェユニット
３１ａ，３１ｂ    ペルチェ回路板
３１ｃ  熱電素子
３１ｅ  放熱フィン
３２，３３    ファン
【図１】
0005066431.tif 000002
【図２】
0005066431.tif 000003
【図３】
0005066431.tif 000004
【図４】
0005066431.tif 000005